【事件の表示】
　特許第３２１１４９２号「光電気変換器および受光部品」の請求項１ないし４に係る特許に対する特許異議の申立てについて、次のとおり決定する。
【結　論】
　訂正を認める。
　特許第３２１１４９２号の請求項１に係る特許を取り消す。
　同請求項２に係る特許を維持する。
【理　由】
１．手続の経緯
　本件特許第３２１１４９２号の特許請求の範囲の請求項１〜４に係る発明（以下、訂正前の本件発明１〜４という。）は、平成５年７月６日に特許出願され、平成１３年７月１９日に設定登録され、その後、木村和夫より特許異議の申立がなされ、取消理由通知がなされ、その指定期間内である平成１４年７月３０日に訂正請求がなされたものである。
２．訂正請求について
　ア．訂正の内容
　訂正事項ａ
　特許請求の範囲の請求項１の「受光ダイオードと増幅器とコンデンサのうち少なくとも受光ダイオード」を「受光ダイオードと増幅器とコンデンサのうち少なくとも前記コンデンサ及び前記受光ダイオード」と訂正する。
　訂正事項ｂ
　特許請求の範囲の請求項１の「一方の端子は増幅器の入力端子に接続され、」を「一方の端子は増幅器の入力端子のみに接続され、」と訂正する。
　訂正事項ｃ
　特許請求の範囲の請求項１の「前記外部導出用ラインに介装した」を「前記ケース内に納めると共に前記外部導出用ラインに介装した」と訂正する。
　訂正事項ｄ
　特許請求の範囲の請求項２の「受光ダイオードと増幅器とコンデンサのうち少なくとも受光ダイオード」を「受光ダイオードと増幅器とコンデンサのうち少なくとも前記コンデンサ及び前記受光ダイオード」と訂正する。
　訂正事項ｅ
　特許請求の範囲の請求項２の「一方の端子は増幅器の入力端子に接続され、」を「一方の端子は増幅器の入力端子のみに接続され、」と訂正する。
　訂正事項ｆ
　特許請求の範囲の請求項２の「前記外部導出用ラインに介装した」を「前記ケース内に納めると共に前記外部導出用ラインに介装した」と訂正する。
　訂正事項ｇ
　特許請求の範囲の請求項３を削除する。
　訂正事項ｈ
　特許請求の範囲の請求項４を削除する。
　訂正事項ｉ
　特許明細書第２頁左欄第６行及び第７行の「本発明は、光電気変換器および受光部品に関し」を「本発明は、光電気変換器に関し」と訂正する。
　訂正事項ｊ
　特許明細書第３頁右欄第１行の「光電気変換器および受光部品を提供する」を「光電気変換器を提供する」と訂正する。
　訂正事項ｋ
　特許明細書第３頁右欄第４行及び第５行の「上記課題を解決する本発明は」を「上記課題を解決する本発明は、受光ダイオードと増幅器とコンデンサのうち少なくとも前記コンデンサ及び前記受光ダイオードが、アースしてあるケース内に納められており、受光ダイオードのアノードとカソードのうち一方の端子は増幅器の入力端子のみに接続され、他方の端子は、ケース内からケース外に導出してある外部導出用ラインに接続されると共にコンデンサを介してアースしている光電気変換器において、前記コンデンサと共に作用してローパスフィルタの機能を果す抵抗を、前記ケース内に納めると共に前記外部導出用ラインに介装したことを特徴とする光電気変換器である。
また、上記課題を解決する本発明は、受光ダイオードと増幅器とコンデンサのうち少なくとも前記コンデンサ及び前記受光ダイオードが、アースしてあるケース内に納められており、受光ダイオードのアノードとカソードのうち一方の端子は増幅器の入力端子のみに接続され、他方の端子は、ケース内からケース外に導出してある外部導出用ラインに接続されている光電気変換器において、前記受光ダイオードの他方の端子をコンデンサを介して増幅器の入力端子に接続すると共に、前記コンデンサと共に作用してローパスフィルタの機能を果す抵抗を、前記ケース内に納めると共に前記外部導出用ラインに介装したことを特徴とする光電気変換器である。
　上記課題を解決する光電気変換器は」と訂正する。
　訂正事項ｌ
　発明の名称「光電気変換器および受光部品」を「光電気変換器」と訂正する。
　イ．訂正の目的の適否、新規事項の追加及び特許請求の範囲の拡張又は変更の存否
　訂正事項ａについて
　この訂正事項ａは、請求項１に係る発明の「受光ダイオードと増幅器とコンデンサのうち少なくとも受光ダイオード」を「受光ダイオードと増幅器とコンデンサのうち少なくとも前記コンデンサ及び前記受光ダイオード」に限定するものであり、請求項３及び図１に記載の事項から直接的かつ一義的に導き出せる事項であるから、特許請求の範囲の減縮に該当し、新規事項を追加するものでなく、特許請求の範囲を実質的に拡張又は変更するものでもない。
　訂正事項ｂについて
　この訂正事項ｂは、請求項１に係る発明の「一方の端子は増幅器の入力端子に接続され、」を「一方の端子は増幅器の入力端子のみに接続され、」に限定するものであり、特許明細書段落【００１８】及び図１に記載の事項から直接的かつ一義的に導き出せる事項であるから、特許請求の範囲の減縮に該当し、新規事項を追加するものでなく、特許請求の範囲を実質的に拡張又は変更するものでもない。
　訂正事項ｃについて
　この訂正事項ｃは、請求項１に係る発明の「前記外部導出用ラインに介装した」を「前記ケース内に納めると共に前記外部導出用ラインに介装した」に限定するものであり、特許明細書段落【００１９】及び図１に記載の事項から直接的かつ一義的に導き出せる事項であるから、特許請求の範囲の減縮に該当し、新規事項を追加するものでなく、特許請求の範囲を実質的に拡張又は変更するものでもない。
　訂正事項ｄについて
　この訂正事項ｄは、請求項１に係る発明の「受光ダイオードと増幅器とコンデンサのうち少なくとも受光ダイオード」を「受光ダイオードと増幅器とコンデンサのうち少なくとも前記コンデンサ及び前記受光ダイオード」に限定するものであり、図１及び図７に記載の事項から直接的かつ一義的に導き出せる事項であるから、特許請求の範囲の減縮に該当し、新規事項を追加するものでなく、特許請求の範囲を実質的に拡張又は変更するものでもない。
　訂正事項ｅについて
　この訂正事項ｅは、請求項２に係る発明の「一方の端子は増幅器の入力端子に接続され、」を「一方の端子は増幅器の入力端子のみに接続され、」に限定するものであり、特許明細書段落【００２８】及び図７に記載の事項から直接的かつ一義的に導き出せる事項であるから、特許請求の範囲の減縮に該当し、新規事項を追加するものでなく、特許請求の範囲を実質的に拡張又は変更するものでもない。
　訂正事項ｆについて
　この訂正事項ｆは、請求項２に係る発明の「前記外部導出用ラインに介装した」を「前記ケース内に納めると共に前記外部導出用ラインに介装した」に限定するものであり、特許明細書段落【００２８】及び図７に記載の事項から直接的かつ一義的に導き出せる事項であるから、特許請求の範囲の減縮に該当し、新規事項を追加するものでなく、特許請求の範囲を実質的に拡張又は変更するものでもない。
　訂正事項ｇ及びｈについて
　この訂正事項ｇ、ｈは、それぞれ請求項３、４を削除するものであるから、特許請求の範囲の減縮に該当し、新規事項を追加するものでなく、特許請求の範囲を実質的に拡張又は変更するものでもない。
　訂正事項ｉ〜ｌについて
　この訂正事項ｉ〜ｌは、上記訂正事項ａ〜ｆの訂正に整合するように特許明細書の記載を訂正するものであるから、明りょうでない記載の釈明に該当し、新規事項を追加するものでなく、特許請求の範囲を実質的に拡張又は変更するものでもない。
　ウ．むすび
　以上のとおり、上記訂正請求は、特許法第１２０条の４第２項及び同条第３項で準用する第１２６条第２項及び第３項の規定に適合するので、当該訂正を認める。
３．異議申立について
　ア．異議申立の理由の概要
　異議申立人 木村和夫は、証拠として甲第１号証〜甲第７号証（刊行物１〜刊行物７）を提出し、訂正前の本件発明１〜４は、特許法第２９条第２項の規定に違反して特許されたものであるから、その特許は取り消されるべき旨主張している。
　イ．本件発明について
　訂正後の本件特許明細書の特許請求の範囲の請求項１及び２に係る発明（以下、本件発明１及び２という。）は次のとおりである。
「【請求項１】
　受光ダイオードと増幅器とコンデンサのうち少なくとも前記コンデンサ及び前記受光ダイオードが、アースしてあるケース内に納められており、受光ダイオードのアノードとカソードのうち一方の端子は増幅器の入力端子のみに接続され、他方の端子は、ケース内からケース外に導出してある外部導出用ラインに接続されると共にコンデンサを介してアースしている光電気変換器において、前記コンデンサと共に作用してローパスフィルタの機能を果す抵抗を、前記ケース内に納めると共に前記外部導出用ラインに介装したことを特徴とする光電気変換器。
　【請求項２】
　受光ダイオードと増幅器とコンデンサのうち少なくとも前記コンデンサ及び前記受光ダイオードが、アースしてあるケース内に納められており、受光ダイオードのアノードとカソードのうち一方の端子は増幅器の入力端子のみに接続され、他方の端子は、ケース内からケース外に導出してある外部導出用ラインに接続されている光電気変換器において、前記受光ダイオードの他方の端子をコンデンサを介して増幅器の入力端子に接続すると共に、前記コンデンサと共に作用してローパスフィルタの機能を果す抵抗を、前記ケース内に納めると共に前記外部導出用ラインに介装したことを特徴とする光電気変換器。」
　ウ．取消理由通知に引用した刊行物に記載の発明
　取消理由通知に引用した刊行物１（特開平２−２３１８２４号公報）には次の事項が記載されている。
「［作用］
　本発明によれば、前記静電容量素子（およびバイアス設定用抵抗）を付加することにより、ＳＮ比を劣化させることなく、光信号入力パワーに対するアンプ出力を広い周波数範囲にわたって低下させ、もって後段回路の飽和を防止することができる。
　［実施例］
　以下、実施例に基づいて本発明を詳細に説明する。
　第１図は、本発明を適用した光受信回路の一実施例を示す回路図である。本図においてＰＡは前置増幅器、ＰＤは受光素子、Ｃｐはコンデンサ、Ｒｐ、Ｒｉｎ、Ｒｆは抵抗を示す。ここで、コンデンサＣｐの静電容量値は、現在のトランジスタ、ＰＤの性能を考えると１０から数百Ｍｂｐｓ程度の伝送ではＳ／Ｎ比を劣化させないためには、後に示す（１）式から明らかなように、受光素子容量（Ｃｐｄ）の数倍〜百倍程度に設定する。また、抵抗ＲｉｎおよびＲｆは光電流検知用の負荷として（Ｒｉｎのみ、またはＲｆのみ使用する場合は、Ｒｉｎ＝∞またはＲｆ＝∞と考えればよい）、Ｒｈはバイアス設定用の抵抗として機能する。」（２頁右上欄１６行〜同頁左下欄末行）
　取消理由通知に引用した刊行物２（特開平４−２８３９７０号公報）には次の事項が記載されている。
「【００２１】
　図２はより具体的な実施例を示す回路図である。この実施例では、ホトダイオード１のカソード側に電源安定化回路２１を備えている。電源安定化回路２１は片側がプラス電源（＋Ｖ）に接続された抵抗値ｒ３の抵抗２２と片側接地された容量Ｃ３のコンデンサ２３を備え、これにより、ホトダイオード１に対する逆バイアス電圧の安定化が図られている。同様に制御信号生成手段１１内のＮチャネル電界効果トランジスタ１４に対して安定なドレイン電圧を与えるために、抵抗値ｒ２の抵抗２５及び容量Ｃ２のコンデンサ２６からなる電源安定化回路２４が設けられている。また、抵抗値ｒ４の抵抗２７及び容量Ｃ４のコンデンサ２８でローパスフィルタ１５が構成されており、可変抵抗１７に代えて抵抗値ｒ５の固定抵抗３０が設けられている。」（４頁右欄段落【００２１】）
　取消理由通知に引用した刊行物３（特開昭６０−１５７３４６号公報）には次の事項が記載されている。
「第４図は本発明の光受信器の一例を示す回路図である。基本的には２つの光受信回路８、８ａで構成されており、第１の光受信回路８は、第１図に示した従来の光受信器の回路構成において、比較回路３の出力に発光素子９を接続したものである。第２の光受信回路８ａは、従来の光受信器と同一の回路構成になっている。また上記両光受信器８、８ａは各々、別個のシールドケース１０、１０ａで囲われていて、この２つのシールドケース１０、１０ａを接合することにより１つのシールドケースとしている。上記シールドケース１０には、発光素子９から出た光を外に取り出す出射窓、シールドケース１０ａには、受光素子１ａに光を照射させるための入射窓を設ける。両シールドケース１０、１０ａ間では、電源端子５、グランド端子７を通じ、第２の光受信回路８ａから第１の光受信回路８へ電源が供給されるが、上記電源端子５、グランド端子７並びに電源端子５ａ、グランド端子７ａには、貫通コンデンサ等の雑防フィルタを用いることにより、電源線やグランド線を通して雑音が、第１の光受信回路８、第２の光受信回路８ａに侵入しないようにしている。」（２頁左上欄１８行〜同頁右上欄１９行）
　取消理由通知に引用した刊行物４（特開昭６１−２１４８０９号公報）には次の事項が記載されている。
「そのようなハイブリッドＩＣ形光受信機のケース１０を、第１図に点線で輪郭を示す金属製の蓋３０で密封する一方、その金属製の蓋３０をアースする。」（３頁右下欄５行〜７行）
「例えば、第３図に示すように、導体パターン２４及び２８の間のセラミック基板１６上に、別の導体パターン３２を設け、それをアースしておく。そして、その導体パターン３２上に点線で示すように絶縁膜３４を形成し、その上に印刷抵抗２６を形成する。また、絶縁膜を設けずに、その導体パターン２４及び２８に接続する。なお、第３図において、その他の部分は第１図と同様であるので、ケース１０他の図示は省略してある。」（４頁左上欄３行〜１２行）
　取消理由通知に引用した刊行物５（特開昭６３−２５０１８１号公報）には次の事項が記載されている。
「第２図に示すように、光電変換部１１と前置増幅部１２とは同一のパッケージ内に収容され光電変換部１１の受光部に設けた受光窓１３を残して樹脂封止されＩＣ１を形成する。ＩＣ１は、ＩＣ１から導出されるリードに接続される光電変換部１１と前置増幅部１２の外付回路２と共にシールドケース３内に収納される。シールドケース３からのそれぞれのリードは出力端子４、電源端子５及び接地端子６に接続される。」（１頁右下欄１２行〜末行）
　取消理由通知に引用した刊行物６（伊藤弘編著「オプト・デバイス応用ノウハウ」昭和６２年１２月２５日ＣＱ出版株式会社発行第４１−４３頁）には次の事項が記載されている。
「図２−１３に示す回路は３８ｋＨｚ、デューティ比１／２でパルス駆動された、ガリウム砒素赤外発光ダイオードの光を検出する回路です。ＴＶ受像機用リモコンの初段増幅回路として使用されています。
　検出回路は、コンデンサ結合の交流増幅回路とし、信号電流が微小であるためＦＥＴを使用しています。また、電源ラインにＲ１とＣ１を追加して、フォト・ダイオードの逆バイアス電圧に電気ノイズが乗るのを防止しています。」４１頁下から３行〜４２頁３行）
　取消理由通知に引用した刊行物７（伊藤弘編著「オプト・デバイス応用ノウハウ」昭和６２年１２月２５日ＣＱ出版株式会社発行第４１−４３頁）には次の事項が図示されている。
「低雑音光センサプリアンプ又は高速光センサの増幅器の電源線をコンデンサ（１０μＦ又は１μＦ）を介して接地すること」
　エ．対比・判断
（１）本件発明１について
　刊行物１に記載の「受光素子ＰＤ」、「コンデンサＣｐ」、「抵抗Ｒｐ」は、本件発明１の「受光ダイオード」、「コンデンサ」、「抵抗」に相当する。
　そして、刊行物１に記載の「抵抗Ｒｉｎ、Ｒｆ」と「前置増幅器ＰＡ」は、一体となって増幅器を構成しているから、本件発明１の「増幅器」に相当し、「受光素子ＰＤ」のアノードがその増幅器の入力端子のみに接続されていることは明らかである。
　また、刊行物１に記載の「受光素子ＰＤ」のカソードが「コンデンサＣｐ」を介してアースされていると共にバイアス設定用の「抵抗Ｒｐ」を介装してバイアス設定用回路（図示されていない）に接続されていることは第１図に関する記載から明らかである。
　更にまた、刊行物１に記載の「コンデンサＣｐ」と「抵抗Ｒｐ」が協働してローパスフィルターとして機能することは明らかである。
　更にまた、刊行物１に明示の記載はないが、バイアス設定用の「抵抗Ｒｐ」をバイアス設定用回路（図示されていない）に接続するとして第１図に描かれているラインは、外部の回路に接続するためのものであることは明らかであるから、該ラインが本件発明１の「外部導出用ライン」に相当することは明らかである。
　そこで、本件発明１と刊行物１に記載の発明（以下、引用発明という。）とを対比すると、両者は「受光ダイオードと増幅器とコンデンサとからなり、受光ダイオードのアノードの端子は増幅器の入力端子のみに接続され、カソードの端子は外部導出用ラインに接続されると共にコンデンサを介してアースしている光電気変換器において、コンデンサと共に作用してローパスフィルタの機能を果す抵抗を外部導出用ラインに介装した光電気変換器」であるという点で一致し、次の点（以下、相違点という。）で相違している。
　相違点：本件発明１は、その「受光ダイオード」、「コンデンサ」、「抵抗」、「増幅器」のうち少なくとも「コンデンサ」、「受光ダイオード」、「抵抗」がアースしてあるケース内に納められているのに対して、引用発明は、その「受光素子ＰＤ」、「コンデンサＣｐ」、「抵抗Ｒｐ」、「抵抗Ｒｉｎ、Ｒｆ及び前置増幅器ＰＡ」をアースしてあるケース内に納めるか否かが不明である点。
　そこで、相違点について以下検討する。
　光電気変換器を構成する受光ダイオード、増幅器等をケースに収納し、そのケースをアースすることは周知の慣用技術（刊行物３〜５参照。）である。
　してみると、引用発明において、その「受光素子ＰＤ」、「コンデンサＣｐ」、「抵抗Ｒｐ」、「抵抗Ｒｉｎ、Ｒｆ及び前置増幅器ＰＡ」の少なくとも「コンデンサＣｐ」、「受光素子ＰＤ」、「抵抗Ｒｐ」をアースしてあるケース内に納めるようにすることは当業者であれば適宜になし得ることである。
　したがって、本件発明１は、引用発明及び周知の慣用技術に基づいて当業者が容易に発明をすることができたものである。
（２）本件発明２について
　本件発明２の「受光ダイオードの他方の端子をコンデンサを介して増幅器の入力端子に接続する」ことは刊行物１〜７のいずれにも記載も示唆もされておらず、周知の慣用技術でもない。
　そして、本件発明２は、「受光ダイオードの他方の端子をコンデンサを介して増幅器の入力端子に接続する」ことにより、加える入力信号の増加分が部分的に帰還され結果として入力インピーダンスより高い実効入力インピーダンスが得られるという作用効果を呈するものである。
　したがって、本件発明２は、刊行物１〜７及び周知の慣用技術に基づいて当業者が容易に発明をすることができたものとすることができない。
４．むすび
  以上のとおり、本件発明１は特許法第２９条第２項の規定に違反して特許されたものであるから、その特許は、特許法第１１３条第２号に該当し、取り消されるべきものである。
　また、本件発明２の特許を取り消すべき理由を発見しない。
　よって、結論のとおり決定する。
【異議決定日】
平成１４年１０月１５日（２００２．１０．１５）
【訂正の要旨】
訂正事項（訂正の要旨）
（３−１）訂正事項１
　特許請求の範囲の請求項１における「受光ダイオードと増幅器とコンデンサのうち少なくとも受光ダイオード」を「受光ダイオードと増幅器とコンデンサのうち少なくとも
前記コンデンサ及び前記
（３−２）訂正事項２
　特許請求の範囲の請求項１における「一方の端子は増幅器の入力端子に接続され、」を「一方の端子は増幅器の入力端子
のみ
（３−３）訂正事項３
　特許請求の範囲の請求項１における「前記外部導出用ラインに介装した」を「
前記ケース内に納めると共に
（３−４）訂正事項４
　特許請求の範囲の請求項２における「受光ダイオードと増幅器とコンデンサのうち少なくとも受光ダイオード」を「受光ダイオードと増幅器とコンデンサのうち少なくとも
前記コンデンサ及び前記
（３−５）訂正事項５
　特許請求の範囲の請求項２における「一方の端子は増幅器の入力端子に接続され、」を「一方の端子は増幅器の入力端子
のみ
（３−６）訂正事項６
　特許請求の範囲の請求項２における「前記外部導出用ラインに介装した」を「
前記ケース内に納めると共に
（３−７）訂正事項７
　特許請求の範囲の請求項３を削除する。
（３−８）訂正事項８
　特許請求の範囲の請求項４を削除する。
（３−９）訂正事項９
　明細書第２頁第２行（特許公報第２頁左欄第６行及び第７行）の「本発明は、光電気変換器および受光部品に関し」を「本発明は、光電気変換器に関し」と訂正する。
（３−１０）訂正事項１０
　明細書第６頁第５行（特許公報第３頁右欄第１行）の「光電気変換器および受光部品を提供する」を「光電気変換器を提供する」と訂正する。
（３−１１）訂正事項１１
　明細書第６頁第８行（特許公報第３頁右欄第４行及び第５行）の「上記課題を解決する本発明は」を
「
上記課題を解決する本発明は、受光ダイオードと増幅器とコンデンサのうち少なくとも前記コンデンサ及び前記受光ダイオードが、アースしてあるケース内に納められており、受光ダイオードのアノードとカソードのうち一方の端子は増幅器の入力端子のみに接続され、他方の端子は、ケース内からケース外に導出してある外部導出用ラインに接続されると共にコンデンサを介してアースしている光電気変換器において、前記コンデンサと共に作用してローパスフィルタの機能を果す抵抗を、前記ケース内に納めると共に前記外部導出用ラインに介装したことを特徴とする光電気変換器である。
　
また、上記課題を解決する本発明は、受光ダイオードと増幅器とコンデンサのうち少なくとも前記コンデンサ及び前記受光ダイオードが、アースしてあるケース内に納められており、受光ダイオードのアノードとカソードのうち一方の端子は増幅器の入力端子のみに接続され、他方の端子は、ケース内からケース外に導出してある外部導出用ラインに接続されている光電気変換器において、前記受光ダイオードの他方の端子をコンデンサを介して増幅器の入力端子に接続すると共に、前記コンデンサと共に作用してローパスフィルタの機能を果す抵抗を、前記ケース内に納めると共に前記外部導出用ラインに介装したことを特徴とする光電気変換器である。
　
上記課題を解決する光電気変換器は
と訂正する。
（３−１２）訂正事項１２
　発明の名称「光電気変換器および受光部品」を「光電気変換器」と訂正する。
（５４）【発明の名称】
光電気変換器
（５７）【特許請求の範囲】
　【請求項１】受光ダイオードと増幅器とコンデンサのうち少なくとも
前記コンデンサ及び前記
のみ
前記ケース内に納めると共に
　【請求項２】受光ダイオードと増幅器とコンデンサのうち少なくとも
前記コンデンサ及び前記
のみ
前記ケース内に納めると共に
【発明の詳細な説明】
　【０００１】
　【産業上の利用分野】
　本発明は、
光電気変換器
　【０００２】
　【従来の技術】
　光通信または光センサの技術分野において最もよく用いられる受光素子は、ＰＩＮ型フォトダイオード（以下「ＰＤ」と略す）またはアバランシェフォトダイオードのような受光ダイオードである。これら受光ダイオードは、光電気変換効率が高く、低雑音で、かつ高速応答するため、多く用いられるのである。このような受光ダイオードを用いる際には、光電変換して得た微弱な光電流を増幅する増幅器を取り付けるのが普通である。
　【０００３】
　ここでＰＤを用いて従来技術の具体例を説明する。
ＰＤと増幅器との組み合せ型には、バイアスの仕方により３つの方式、即ち、ＰＤのアノードを増幅器の入力端子に接続する方式と、ＰＤのカソードを増幅器の入力端子に接続する方式と、ＰＤのアノード及びカソードを増幅器の入力端子に接続するブートストラップ方式がある。
　【０００４】
　以下では、図８、図９を参照してＰＤのアノードを増幅器の入力端子に接続する方式を説明する。図８の例ではＰＤ１が単体でケース２に入っている。ＰＤ１のアノードＡから導出されたアノード側ラインＬａは、ケース２の外部で増幅器３の入力端子３ａに接続されており、ＰＤ１のカソードＫから導出されたカソード側ラインＬｋはケース２の外部のバイアス回路（図示省略）に接続され、更にカソード側ラインＬｋとアースＥとの間にはコンデンサＣが接続されている。ケース１はアースＥに接地されている。そして増幅器３は光電流を増幅した光信号Ｓを出力する。
　【０００５】
　図９の例では、ケース２内にＰＤ１，増幅器３及びコンデンサＣを備えている。ケース２及びコンデンサＣはアースＥに接地されている。ＰＤ１のアノードＡはアノード側ラインＬａを介して増幅器３の入力端子３ａに接続されている。増幅器３は、電源ラインＬｖを介して電源（図示省略）から電力が供給されており、光電流を増幅した光信号Ｓを出力する。
　【０００６】
　図８に示す構成は、使用者にとってＰＤ１や増幅器３の種類を別個に選べるため、汎用性があり、実験用や一品ものの特注品に向いている。
　【０００７】
　図９に示す構成は、Ｐｉｎａｍｐと呼ばれ、汎用性は高くないが、耐雑音性に優れており、また寄生容量の影響が小さく性能が均一であるため、量産品に向いている。
　【０００８】
　【発明が解決しようとする課題】
　ところで上述した従来技術では、直流的にオープンとなっているカソード側ラインＬｋからＰＤ１に入ってくる雑音に弱いという欠点がある。上述したようなＰＤ１のカソードＫをケース２の内部で直流的に接地してしまえば、カソードＫから雑音が入ることはないが、次の▲１▼，▲２▼等の要請があるため、実際にはカソードを直流的にはオープンにしてケース２の外部に導出する場合が多い。
▲１▼平均光電流をモニタしたい。
▲２▼ＰＤ劣化の監視用や調芯固定用にＰＤの光電流をモニタできるようにしたい。
　【０００９】
　なお上述した説明の用語のうち「接地」や「モニタ」の意味を補助説明しておく。
（１）　本明細書では「直流的に接地」とは、アース、または交流的にアースと等価な電源ラインなどにつなぐことである。また交流的に接地とは、アース、または交流的にアースと等価な電源ラインなどと大容量コンデンサを介してつなぐことである。直流的に接地されたものは必ず交流的にも接地されているが、逆に交流的に接地されたものは必ずしも直流的に接地されているとは限らない。
（２）　光通信では受信器の感度を上げるためＡＣ結合通信が多い。ところがＡＣ結合では今実際に光が入ってきているのか、否かが判らない。今実際に光が入ってきているのか、否かを判別する手段としてよく平均光電流をモニタする方式がとられる。
（３）　光が入っていないときのＰＤ電流（これを暗電流という）をモニタして、ＰＤ劣化を調べるもので、公衆通信ではよく行なわれる方法である。
（４）　光通信ではＰＤやＰｉｎａｍｐは光ファイバ、または光コネクタや光レセプタクルに対して調芯固定する必要がある。この時光ファイバに光を入れながら、ＰＤ電流をモニタして調芯するのが最も一般的である。
　【００１０】
　カソード側ラインＬｋから外部雑音Ｎが入ったときの状態を、図１０を参照して説明する。図１０に示すように外部からカソード側ラインＬｋを介して雑音ＮがカソードＫに入ると、この雑音ＮはＰＤ１の容量を介して増幅器３に入力されてしまう。増幅器３では入力された信号が光電流なのか、ＰＤ容量を介して回り込んだ雑音なのかを判別することができないので、光電流と一緒に雑音Ｎも増幅して出力してしまうことになる。
　図１０はＰｉｎａｍｐの例であるが、図９に示す構成でも事情は同様である。
　【００１１】
　もちろん交流接地用コンデンサを用いてカソードＫを交流的に接地することによりある程度は雑音Ｎの回り込みを抑えられる。しかしながらコンデンサで抑えてもケース２から出るリードピンを１ｃｍも延ばせば一般に数十μＶから数ｍＶ程度の回り込みは発生してしまうことが多いので、カソードを交流的に接地する手法によりＳ／Ｎ比劣化を抑えることは困難である。加えてシステム上の制約からモニタの応答速度を早くするため、交流接地用コンデンサの容量は小さくしなければならない場合が実際には多い。この場合にはコンデンサの雑音抑圧力は更に小さくなる。また光受信用の初段増幅器は、本来は入力する光電流信号を電圧信号に変換する変換器であるが、高感度に設計すると、雑音の回り込みによる入力電圧信号に対して大きな利得Ａを持つことになる。そのためＳ／Ｎ比の劣化はますます大きくなる。
　【００１２】
　かかる事情を更に詳しく説明すると次のようになる。
　もし増幅器３がトランスインピーダンス型（帰還抵抗を持つ）で、かつ（計算を簡略化するため）帰還抵抗を除いた入力抵抗を∞とすると、光電流増幅率をＺ、帰還抵抗をＲｆ、電圧利得をＡ、帯域をｆｃ、ＰＤ容量＋増幅器の入力容量をＣ１とすると、
　　Ｚ＝Ａ・Ｒｆ／（Ａ＋１）
　　Ａ＋１＝２π・Ｃ１・Ｒｆ・ｆｃ
となる。ここで光電流増幅率、つまり信号増幅率はＡが大きいと、Ｚ≒ＲｆなのでＡにはよらない。ところが増幅器の感度はＲｆが高いほど高感度であるので、高感度のものほどＡつまり電圧利得を大きくする必要がある。この電圧利得とは要は雑音の増幅率である。つまりＲｆが大きく、Ａが小さい増幅器を作れれば問題無いのだが、ＡとＲｆには上式の関係があり、そのような増幅器が作れないわけである。
　【００１３】
　次に具体的な計算例を掲げる。今、光受信器への要求帯域ｆｃを２００ＭＨｚ、増幅器３への要求利得を２０ｋΩ（＝１０ｋＶ／Ａ）、増幅器３の入力容量を０．２ｐＦ、増幅器３の入力換算雑音を２０ｎＡ、増幅器３はトランスインピーダンス型でＰＤ容量を１．０ｐＦとすると、増幅器３の電圧利得は３０倍程度必要である。この受信器は本来入力換算雑音から計算すると出力端子のところで４．８ｍＶｐ−ｐ程度の小さな信号に対しても充分なＳ／Ｎ比を持っている筈であるが、もしカソードＫにわずか１００μＶの雑音が高周波域で回り込むと、３０倍に増幅されて出力端子のところでは３ｍＶｐ−ｐの雑音が発生してしまい、大幅にＳ／Ｎ比が劣化する（正確には７．５分の１に劣化する）。
　以上のようにＰＤのカソードから回り込む雑音を従来例では抑えることが困難である。
　【００１４】
　上述した例はＰＤ１のアノードＡを増幅器３の入力端子３ａに接続し、カソードＫを交流的にはアース電位に接地すると共に直流的には開放した例であるが、ＰＤ１のカソードＫを増幅器３の入力端子３ａに接続しアノードＡを交流的にはアース電位に接地すると共に直流的には開放した例でも、同様に、オープンとなっているアノード側から回り込む雑音を抑えることが困難であった。
　【００１５】
　本発明は、上記従来技術に鑑み、受光ダイオードの端子のうち、直流的にオープンとなっている側からノイズが侵入しても、このノイズを抑えることのできる
光電気変換器
　【００１６】
　【課題を解決するための手段】
　上記課題を解決する本発明は、
受光ダイオードと増幅器とコンデンサのうち少なくとも前記コンデンサ及び前記受光ダイオードが、アースしてあるケース内に納められており、受光ダイオードのアノードとカソードのうち一方の端子は増幅器の入力端子のみに接続され、他方の端子は、ケース内からケース外に導出してある外部導出用ラインに接続されると共にコンデンサを介してアースしている光電気変換器において、前記コンデンサと共に作用してローパスフィルタの機能を果す抵抗を、前記ケース内に納めると共に前記外部導出用ラインに介装したことを特徴とする光電気変換器である。
　【００１７】
　
また、上記課題を解決する本発明は、受光ダイオードと増幅器とコンデンサのうち少なくとも前記コンデンサ及び前記受光ダイオードが、アースしてあるケース内に納められており、受光ダイオードのアノードとカソードのうち一方の端子は増幅器の入力端子のみに接続され、他方の端子は、ケース内からケース外に導出してある外部導出用ラインに接続されている光電気変換器において、前記受光ダイオードの他方の端子をコンデンサを介して増幅器の入力端子に接続すると共に、前記コンデンサと共に作用してローパスフィルタの機能を果す抵抗を、前記ケース内に納めると共に前記外部導出用ラインに介装したことを特徴とする光電気変換器である。
　【００１８】
　
上記課題を解決する光電気変換器は、
　【００１９】
　【作用】
　外部ノイズは、コンデンサと抵抗とでなるフィルタで遮断され、受光ダイオードに入力されることはない。
　【００２０】
　【実施例】
　以下に本発明の実施例を図面に基づき詳細に説明する。なお、従来技術と同一機能をはたす部分には同一の符号を付して説明する。
　【００２１】
　図１は本発明の第１実施例を示し、Ｐｉｎａｍｐ型となっている。同図に示すようにケース２内にはＰＤ１と増幅器３が備えられており、ＰＤ１のアノードＡはアノード側ラインＬａを介して増幅器３の入力端子３ａに接続されており、ＰＤ１のカソードＫに接続されたカソード側ラインＬｋはケース２の外部にまで導出されバイアス回路（図示省略）に接続されている。ケース２はアースＥに接地され、更にカソード側ラインＬｋとアースＥとの間にコンデンサＣが接続されている。したがってカソードＫは、交流的にはコンデンサＣを介してアースＥに接地されると共に、直流的には開放（オープン）となっている。また増幅器３は電流ラインＬｖを介して電源（図示省略）から電力が供給される。ここまでの構成は従来技術と同様である。
　【００２２】
　更に本実施例では、ケース２内においてカソード側ラインＬｋに抵抗Ｒを介装している。この抵抗Ｒは、コンデンサＣと共に作用してローパスフィルタの機能を発揮する。このローパスフィルタのカットオフ周波数は１／（２πＣＲ）であり、１／（２πＣＲ）よりも高い周波数のノイズＮは、ケース２の中に侵入することはできない。この場合、帯域をｆｃとしたとき、１／（２πＣＲ）＜＜ｆｃにしておけば効果が大きい。
　【００２３】
　なおフィルタのカットオフ周波数を１／（２πＣＲ）よりもかなり高くしておいても雑音が若干侵入するが、これについては充分小さく問題ない。即ち、ＰＤ１の容量をＣｐｄ、コンデンサＣの容量をＣとすると、従来に比べて侵入量はＣｐｄ／Ｃに圧縮される。今回の雑音の問題に関係無く、主信号系の周波数特性を劣化させないようにするため、通常Ｃはある値より大きくする必要がある。これは当該発明の抵抗Ｒの有無に関係しない、基本的な光受信器設計上の問題である。このような値（但し、平均光電流モニタ速度条件からくる上限値よりは小さな値）のＣを用いた場合、Ｃｐｄ／Ｃ＜＜１なので、問題なくなってしまう。例として、前述した数値列で考える。この場合、Ｃの下限値は３０ｐＦぐらい、リニアリティを考えると１００ｐＦ程度である。今Ｃ＝１００ｐＦとすると、Ｃｐｄ／Ｃ＝０．０１となり、従来の１００分の１に圧縮される。
　【００２４】
　ここで従来例（図８、図９）において侵入していたノイズＮの周波数について考えると、その周波数特性は図２に示すようになっている。横軸は「周波数」で、縦軸は、「出力端子に現れる雑音量÷Ｐｉｎａｍｐカソード端子に回り込んだ雑音量」を表す。図２のように高周波と低周波に二つのカットオフＦＨ、ＦＬを持っている。ＦＨは増幅器３の内部帯域（オープンゲイン帯域）にほぼ一致する。通常ＦＨ＞＞ｆｃである。またＦＬはｆｃにほぼ一致する。
　【００２５】
　図１に示す実施例では１／（２πＣＲ）より高い周波数の雑音は侵入できない。そして侵入しても実際にＳ／Ｎ比に影響を与える雑音は周波数がｆｃからＦＨの間のものだけであり、かつ１／（２πＣＲ）＜＜ｆｃなのでカソードＫから雑音Ｎは侵入できない、もしくは侵入してもＳ／Ｎ比は劣化しない。
　【００２６】
　図１の構成においてＰＤ１の代わりにアバランシェフォトダイオード（以下「ＡＰＤ」と略す）を用いても同じ効果が得られる。
　【００２７】
　図３は本発明の第２実施例を示しており、この実施例では増幅器３をケース２の外に配置してある。ＰＤ１の代りにＡＰＤを用いてもよい。他の部分は第１実施例と同様である。
　【００２８】
　図４は本発明の第３実施例を示しており、受光ダイオードとしてアバランシェフォトダイオード（ＡＰＤ）１ａを用いており、そのカソードＫに接続したカソード側ラインＬｋを２分岐し、一方はフィルタとして機能する抵抗Ｒを介してバイアス回路に接続され、他方は抵抗Ｒ１を介してモニタ端子に接続される。なお増幅器３をＡＰＤ１ａと共にケース１内に納めてパッケージタイプとすることもできる。
　【００２９】
　図５は本発明の第４実施例を示しており、この実施例ではケース２内に発光ダイオード（ＬＤ）４を備え、発光ダイオード４自身の光を検出するために同一ケース２内にＰＤ１を実装している。この場合、ＰＤ１のアノードＡは、ＬＤパワー制御回路に接続される。
　【００３０】
　図６は本発明の第５実施例を示しており、第１実施例（図１）の応用例である。この実施例では外部に識別器５、６及び負荷（Ｒｌｏａｄ）７を備えている。また第１実施例における１つのコンデンサＣの容量を、この実施例では２つのコンデンサＣ１，Ｃ２により分担して持っている。容量Ｃを二つの容量Ｃ１とＣ２に分けたのは、当該発明の作用としてＰｉｎａｍｐ出力のカソード自体のインピーダンスが高くなり、モニタ回路の方が不安定に成り易いため、安定化させるため分けて設けたのである。モニタ回路不要の場合やモニタ回路が充分耐ノイズ性が高く不安定にならない場合にはこのようにＣ１、Ｃ２に分けたりする必要は無い。
　【００３１】
　図７は本発明の第６実施例を示しており、ブートストラップ（Ｂｏｏｔ　ｓｔｒａｐ）回路、即ち加える入力信号の増加分が部分的に帰還され結果として入力インピーダンスより高い実効入力インピーダンスを得るようにした回路である。具体的には、ＰＤ１のアノードＡはゲインが１の増幅器８を介して増幅器３の入力端子３ａに接続されており、カソードＫは交流的にはコンデンサＣを介して増幅器３の入力端子３ａに接続されている。
　【００３２】
　上述した図７に示す実施例では受光素子のカソード側が直流的に開放しているが、受光素子のカソードを増幅器の入力端子に接続し、アノードは交流的にはアースし直流的には開放するようにしても、同様な効果が得られる。
　【００３３】
　【発明の効果】
　以上実施例と共に具体的に説明したように本発明によれば、直流的に開放となっている端子側に抵抗を介装し、従前からあったコンデンサと介装した抵抗とによりフィルタを構成したため、開放となっている端子側に外部ノイズが生じてもこのノイズが受光素子に入力することがなくなり、耐ノイズ性が向上して信頼性が高まる。
【図面の簡単な説明】
　【図１】
　本発明の第１実施例を示す構成図。
　【図２】
　ノイズの周波数特性を示す特性図。
　【図３】
　本発明の第２実施例を示す構成図。
　【図４】
　本発明の第３実施例を示す構成図。
　【図５】
　本発明の第４実施例を示す構成図。
　【図６】
　本発明の第５実施例を示す構成図。
　【図７】
　本発明の第６実施例を示す構成図。
　【図８】
　従来技術を示す構成図。
　【図９】
　従来技術を示す構成図。
　【図１０】
　従来技術を示す構成図。
　【符号の説明】
　１　ＰＩＮ型フォトダイオード（ＰＤ）
　１ａ　アバランシェフォトダイオード（ＡＰＤ）
　２　ケース
　３　増幅器
　３ａ　入力端子
　４　発光ダイオード（ＬＤ）
　５、６　識別器
　７　負荷
　８　増幅器
　Ｌａ　アノード側ライン
　Ｌｋ　カソード側ライン
　Ｌｖ　電源ライン
　Ｓ　光信号
　Ｅ　アース
　Ｃ　コンデンサ
　Ｎ　ノイズ